【手続補正書】
【提出日】平成16年5月6日(2004.5.6)
【手続補正１】
【補正対象書類名】明細書
【補正対象項目名】特許請求の範囲
【補正方法】変更
【補正の内容】
【特許請求の範囲】
【請求項１】
コンピュータシステムにおいて使用する通信インタフェース装置であって、前記コンピュータシステムは第１のコンピューティング装置および第２のコンピューティング装置を備え、前記第２のコンピューティング装置はアダプタを有し、前記アダプタは通信コネクタおよび第１の突起部を備え、前記第１の突起部は前記第２のコンピューティング装置から外側に延出し、前記インタフェース装置は、
前記第２のコンピューティング装置の前記アダプタの前記通信コネクタと噛み合うように構成されたインタフェース通信コネクタと、
前記インタフェース通信コネクタに係合するインタフェースアダプタとを備え、
前記インタフェースアダプタは、第１の位置合わせ表面を画定し、またプリンタフォーマッタを備え、前記プリンタフォーマッタは前記インタフェース通信コネクタに通信可能に接続され、前記プリンタフォーマッタは、データを受け取り、前記データを、前記第２のコンピューティング装置に対応するフォーマットに変換し、前記変換されたデータを前記インタフェース通信コネクタに提供するように構成され、前記第１の位置合わせ表面は、前記インタフェース通信コネクタが、前記通信コネクタと係合する前に、前記アダプタの前記通信コネクタと位置合わせすることができるように、前記インタフェース通信コネクタが前記アダプタの前記通信コネクタとの噛み合い係合に向けて移動するときに、前記アダプタの前記第１の突起部に係合するように構成されることを特徴とする、通信インタフェース装置。
【請求項２】
前記インタフェースアダプタは、本体部と、前記本体部から外側に延出する第１の位置合わせ部材とを備え、
前記第１の位置合わせ表面は前記第１の位置合わせ部材によって画定されることを特徴とする、請求項１記載の通信インタフェース装置。
【請求項３】
前記第１の位置合わせ部材は第１の凹部を画定し、前記第１の凹部は、前記第１の突起部の少なくとも一部を収容するように構成されることを特徴とする、請求項２記載の通信インタフェース装置。
【請求項４】
コンピュータシステムにおいて使用する通信インタフェース装置であって、前記コンピュータシステムは第１のコンピューティング装置および第２のコンピューティング装置を備え、前記第２のコンピューティング装置はアダプタを有し、前記アダプタは通信コネクタおよび第１の突起部を備え、前記通信コネクタはインタフェース装置の対応する通信コネクタと噛み合うように構成され、前記第１の突起部は前記第２のコンピューティング装置から外側に延出し、前記インタフェース装置は、
前記第２のコンピューティング装置の前記アダプタの前記通信コネクタと噛み合うように構成されたインタフェース通信コネクタと、
前記インタフェース通信コネクタに係合するインタフェースアダプタと、
を備え、
前記インタフェースアダプタは、第１の位置合わせ表面を画定し、前記第１の位置合わせ表面は、前記インタフェース通信コネクタを係合前に前記アダプタの前記通信コネクタと位置合わせすることができるように、前記インタフェース通信コネクタが前記アダプタの前記通信コネクタとの噛み合い係合に向けて移動するときに、前記アダプタの前記第１の突起部に係合するように構成され、
前記第１の突起部は第１の開口部を備え、
前記インタフェースアダプタは第１の留め具を備え、前記第１の留め具は、前記第１の凹部の中に延出し、それによって、前記インタフェース通信コネクタが前記アダプタの前記通信コネクタに位置合わせされ、前記通信コネクタとの噛み合い係合に向けて移動するときに、前記第１の留め具が前記第１の突起部の前記第１の開口部内に係合することができ、それによって前記インタフェースアダプタを前記アダプタに固定することを特徴とする、通信インタフェース装置。
【請求項５】
前記インタフェース通信コネクタは雄コネクタであり、前記アダプタの前記通信コネクタは雌コネクタであることを特徴とする、請求項４記載の通信インタフェース装置。
【請求項６】
前記第２のコンピューティング装置はプリンタであり、
前記インタフェースアダプタはプリントフォーマッタを含むことを特徴とする、請求項４記載の通信インタフェース装置。
【請求項７】
第１端および第２端を有する通信媒体をさらに備え、
前記第１端は、前記第１のコンピューティング装置と通信可能に接続するように構成され、
前記第２端は、前記インタフェース通信コネクタと通信可能に接続するように構成されることを特徴とする、請求項４記載の通信インタフェース装置。
【請求項８】
前記インタフェースアダプタは、本体部と、前記本体部から外側に延出する第１の位置合わせ部材とを備え、前記第１の位置合わせ部材は遠位端を有し、
前記第１の突起部は遠位端を有し、
前記第１の位置合わせ部材の前記遠位端は、前記インタフェース通信コネクタが前記アダプタの前記通信コネクタとの噛み合い係合に向けて移動するときに、前記インタフェース通信コネクタが前記アダプタの前記通信コネクタに係合する前に、前記第１の位置合わせ部材の前記遠位端が前記第１の突起部の前記遠位端に係合し、それによって前記インタフェース通信コネクタまたは前記アダプタの前記通信コネクタを破損することなく、前記インタフェース通信コネクタと前記アダプタの前記通信コネクタを位置合わせすることができるように、前記本体部から離間されることを特徴とする、請求項４記載の通信インタフェース装置。
【請求項９】
前記第１の位置合わせ表面は前記第１の位置合わせ部材によって画定されることを特徴とする、請求項８記載の通信インタフェース装置。
【請求項１０】
前記第２のコンピューティング装置は第２の突起部を有し、
前記インタフェースアダプタは、前記第２の突起部と係合するように適合された第２の位置合わせ表面を備え、前記インタフェース通信コネクタは、前記第１の位置合わせ表面の前記第１の突起部との係合、および前記第２の位置合わせ表面の前記第２の突起部との係合により、前記インタフェース通信コネクタと前記第２のコンピューティング装置の前記通信コネクタとが位置合わせされるように、前記第１の位置合わせ表面と前記第２の位置合わせ表面の間に配置されることを特徴とする、請求項４記載の通信インタフェース装置。
【請求項１１】
前記インタフェースアダプタは、本体部と、第１の位置合わせ部材と、第２の位置合わせ部材と、を備え、
前記第１の位置合わせ部材は前記本体部から外側に延出し、
前記第２の位置合わせ部材は前記本体部から外側に延出し、
前記第１の位置合わせ表面は前記第１の位置合わせ部材によって画定され、
前記第２の位置合わせ表面は前記第２の位置合わせ部材によって画定される、
ことを特徴とする、請求項１０記載の通信インタフェース装置。
【請求項１２】
前記インタフェースアダプタは、前記インタフェースアダプタを前記第２のコンピューティング装置の前記アダプタに固定する手段を備えることを特徴とする、請求項１０記載の通信インタフェース装置。
【請求項１３】
前記第１および第２の突起部は、前記アダプタを前記第２のコンピューティング装置の外側に固定するために使用される留め具であることを特徴とする、請求項１０記載の通信インタフェース装置。
【請求項１４】
アダプタを有する第１のコンピューティング装置であって、前記アダプタは通信コネクタおよび第１の突起部を備える、第１のコンピューティング装置と、
インタフェース通信コネクタおよびインタフェースアダプタを有するインタフェース装置とを備え、
前記インタフェース通信コネクタは、前記第１のコンピューティング装置の前記通信コネクタと噛み合うように構成され、前記インタフェースアダプタは前記インタフェース通信コネクタに係合し、またプリンタフォーマッタを備え、前記プリンタフォーマッタは前記インタフェース通信コネクタに通信可能に接続され、前記プリンタフォーマッタは、データを受け取り、前記データを、前記第１のコンピューティング装置に対応するフォーマットに変換し、前記変換されたデータを前記インタフェース通信コネクタに提供するように構成され、前記インタフェースアダプタは第１の位置合わせ表面を画定し、前記第１の位置合わせ表面は、前記インタフェース通信コネクタが、前記通信コネクタに係合する前に、前記第１のコンピューティング装置の前記通信コネクタと位置合わせすることができるように、前記インタフェース通信コネクタが前記第１のコンピューティング装置の前記通信コネクタとの噛み合い係合に向けて移動するときに、前記第１のコンピューティング装置の前記第１の突起部に係合するように構成されることを特徴とする、コンピュータシステム。
【請求項１５】
前記第１のコンピューティング装置は第２の突起部を有し、
前記インタフェースアダプタは、前記第２の突起部と係合するように適合された第２の位置合わせ表面を備え、前記インタフェース通信コネクタは、前記第１の位置合わせ表面の前記第１の突起部との係合、および前記第２の位置合わせ表面の前記第２の突起部との係合により、前記インタフェース通信コネクタと前記第１のコンピューティング装置の前記通信コネクタとが位置合わせされるように、前記第１の位置合わせ表面と前記第２の位置合わせ表面との間に配置されることを特徴とする、請求項１４記載のコンピュータシステム。
【請求項１６】
前記インタフェースアダプタは、本体部と、第１の位置合わせ部材と、第２の位置合わせ部材と、を備え、前記第１および第２の位置合わせ部材は前記本体部から外側に延出し、
前記第１の位置合わせ表面は前記第１の位置合わせ部材によって画定され、前記第２の位置合わせ表面は前記第２の位置合わせ部材によって画定されることを特徴とする、請求項１５記載のコンピュータシステム。
【請求項１７】
前記本体部は端部を有し、前記第１の位置合わせ部材および前記第２の位置合わせ部材は、前記インタフェース通信コネクタよりも遠くに前記端部から延出することを特徴とする、請求項１６記載のコンピュータシステム。
【請求項１８】
前記インタフェース通信コネクタは雄コネクタであり、前記アダプタの前記通信コネクタは雌コネクタであることを特徴とする、請求項１７記載のコンピュータシステム。
【請求項１９】
アダプタを有する第１のコンピューティング装置であって、前記アダプタは通信コネクタおよび第１の突起部を備える、第１のコンピューティング装置と、
インタフェース通信コネクタおよびインタフェースアダプタを有するインタフェース装置とを備え、
前記インタフェース通信コネクタは、前記第１のコンピューティング装置の前記通信コネクタと噛み合うように構成され、
前記インタフェースアダプタは前記インタフェース通信コネクタに係合し、またプリンタフォーマッタを備え、前記プリンタフォーマッタは前記インタフェース通信コネクタに通信可能に接続され、前記プリンタフォーマッタは、データを受け取り、前記データを、前記第１のコンピューティング装置に対応するフォーマットに変換し、前記変換されたデータを前記インタフェース通信コネクタに提供するように構成され、
前記インタフェースアダプタは第１の位置合わせ表面を画定し、前記第１の位置合わせ表面は、前記通信コネクタと係合する前に前記インタフェース通信コネクタが前記第１のコンピューティング装置の前記通信コネクタと位置合わせすることができるように、前記インタフェース通信コネクタが前記第１のコンピューティング装置の前記通信コネクタとの噛み合い係合に向けて移動するときに、前記第１のコンピューティング装置の前記第１の突起に係合するように構成され、
前記第１のコンピューティング装置は、前記インタフェース通信コネクタから前記変換されたデータを受け取り、前記データをハードコピーにプリントするように構成されたプリンタであり、
前記第１のコンピューティング装置は、プリンタフォーマッタを欠いていることを特徴とする、コンピュータシステム。
【請求項２０】
前記インタフェース装置を介して前記第１のコンピューティング装置に通信可能に接続された第２のコンピューティング装置をさらに備えることを特徴とする、請求項１９記載のコンピュータシステム。
【請求項２１】
コンピュータシステムにおいて使用する通信インタフェース装置であって、前記コンピュータシステムは第１のコンピューティング装置および第２のコンピューティング装置を備え、前記第１のコンピューティング装置は第１の通信コネクタを有し、前記第２のコンピューティング装置は第２の通信コネクタ、および前記第２のコンピューティング装置の外側に延出する突起部を有し、前記インタフェース装置は、
前記第１のコンピューティング装置の前記第１の通信コネクタと通信可能に接続するように構成された第１のインタフェース通信コネクタと、
第１端および第２端を有する通信媒体であって、前記第１端は前記第１のインタフェース通信コネクタに通信可能に接続される、通信媒体と、
本体部、前記本体部に収容されたプリンタフォーマッタ、および第２のインタフェース通信コネクタを有するインタフェースアダプタと、
を備え、
前記第２のインタフェース通信コネクタは、前記通信媒体の前記第２端に通信可能に接続され、
前記プリントフォーマッタは前記第２のインタフェース通信コネクタに通信可能に接続され、前記プリンタフォーマッタは、データを受け取り、前記データを、前記第２のコンピューティング装置に対応するフォーマットに変換し、前記変換されたデータを前記第２のインタフェース通信コネクタに提供するように構成され、
前記本体部は、前記本体部の外側に延出する第１の位置合わせ部材を有し、前記第１の位置合わせ部材は、前記第２のインタフェース通信コネクタが、前記第２のコンピュータの前記第２の通信コネクタとの噛み合い係合に向けて移動するときに、前記第２のインタフェース通信コネクタが前記第２のコンピュータの前記第２の通信コネクタに係合する前に、前記第１の位置合わせ部材の前記遠位端が前記突起部に係合するように配置された遠位端を有することを特徴とする、通信インタフェース装置。
【請求項２２】
前記インタフェース通信コネクタは、プリンタフォーマッタをさらに備え、前記プリンタフォーマッタは前記インタフェース通信コネクタに通信可能に接続され、前記プリンタフォーマッタは、データを受け取り、前記データを、前記第２のコンピューティング装置に対応するフォーマットに変換し、前記変換されたデータを前記インタフェース通信コネクタに提供するように構成されることを特徴とする、請求項４記載の通信インタフェース装置。
【手続補正２】
【補正対象書類名】図面
【補正対象項目名】図３
【補正方法】変更
【補正の内容】
【図３】
2005502182.tif 000001
【手続補正３】
【補正対象書類名】図面
【補正対象項目名】図４
【補正方法】変更
【補正の内容】
【図４】
2005502182.tif 000002